(57)【要約】      （修正有）【課題】スートブロア用経路に供給した蒸気を有効利用する蒸気供給方法と、それを実現する蒸気供給系統を提供する。【解決手段】ボイラ１から高圧蒸気を使用する装置に送られる蒸気を、スートブロア用経路６に常時供給し、この経路を通った蒸気を低圧蒸気を使用する装置に送るか、または、ドレンタンク、復水器へ送り、再度ボイラの給水として活用する。これにより、スートブロワ用経路のウオーミングアップ作業が不要になるとともに、蒸気の有効利用ができる。【選択図】図１
2005172400.tif 000002
【特許請求の範囲】
【請求項１】
ボイラ（１）から高圧蒸気を使用する装置に送られる蒸気をスートブロア用経路（６）に常時供給し、この経路を通った蒸気を、低圧蒸気を使用する装置へ送ることを特徴とする蒸気供給方法。
【請求項２】
ボイラ（１）で生成されてスートブロア用経路（６）に供給される蒸気を、前記ボイラ（１）に給水するための復水器（１０）へ送ることを特徴とする蒸気供給方法。
【請求項３】
請求項２記載の蒸気供給方法において、前記スートブロア用経路（６）に供給された蒸気は、一部又は全部が水になり、前記復水器（１０）へ送られることを特徴とする蒸気供給方法。
【請求項４】
請求項２記載の蒸気供給方法において、前記蒸気を、ドレンタンク（２６）に送り、該ドレンタンク（２６）から前記復水器（１０）へ送ることを特徴とする蒸気供給方法。
【請求項５】
請求項４記載の蒸気供給方法において、前記スートブロア用経路（６）を通った蒸気は、一部又は全部が水になり、前記ドレンタンク（２６）に送られることを特徴とする蒸気供給方法。
【請求項６】
ボイラ（１）で生成された蒸気を他へ供給するための蒸気供給系統において、前記ボイラ（１）から前記蒸気をタービン（２）へ供給する主経路（３）と、該主経路（３）から分岐して高圧蒸気を使用する装置に至る高圧経路（４）と、該高圧経路（４）から分岐したスートブロア用経路（６）と、該スートブロア用経路（６）を通った蒸気を低圧蒸気を使用する装置へ送る低圧経路（７）とを備えたことを特徴とする蒸気供給系統。
【請求項７】
請求項６記載の蒸気供給系統において、前記高圧経路（４）から分岐して前記低圧蒸気を使用する装置に至る予備経路（３０）を備えたことを特徴とする蒸気供給系統。
【請求項８】
請求項７記載の蒸気供給系統において、前記高圧経路（４）の蒸気を、前記スートブロア用経路（６）に供給しないときは、前記予備経路（３０）を介して前記低圧蒸気を使用する装置に供給することを特徴とする蒸気供給系統。
【請求項９】
ボイラ（１）で生成された蒸気を他へ供給するための蒸気供給系統において、前記ボイラ（１）から前記蒸気をタービンへ供給する主経路（３）と、該主経路（３）から分岐して高圧蒸気を使用する装置に至る高圧経路（４）と、該高圧経路（４）から分岐したスートブロア用経路（６）と、該スートブロア用経路（６）を通った蒸気を前記ボイラ（１）に給水する復水器（１０）へ送る復水経路（３７）とを備えたことを特徴とする蒸気供給系統。
【請求項１０】
請求項９記載の蒸気供給系統において、前記復水経路（３７）上にドレンタンク（２６）を備えたことを特徴とする蒸気供給系統。
【発明の詳細な説明】
【技術分野】
【０００１】
本発明は、スートブロア用経路に供給した蒸気を有効利用する蒸気供給方法と、それを実現する蒸気供給系統に関する。
【背景技術】
【０００２】
一般に、火力発電所では、石炭の粉末や重油などを燃焼させるボイラで水を蒸発させて高圧の蒸気を生成し、この蒸気によってタービンを回して発電している。このように、ボイラの燃料には石炭等が使用されるため、水を通すためにボイラ内に配置された管体の表面や壁面にすすが付着し、管体内の水に対する伝熱効率が低下するという問題が発生する。
【０００３】
そこで、スートブロアと呼ばれる、周面に蒸気噴射口を設けた棒状の装置を、ボイラ内に挿入し、これを軸中心に回転させながら管体と管体の間、或いは壁面沿いに延ばし、管体の表面や壁面にボイラから供給される高温の蒸気を噴射することによって、すすを洗い落とすようにしている。
【０００４】
このスートブロアが噴射する蒸気は、これが低温であることが原因で管体に亀裂を生じさせることもあるため、ある程度の高温を保つことが必要である。具体的には、スートブロアに蒸気を送るための管路は、スートブロア作動時にのみ蒸気を通すようになっているため、蒸気を通し始めてからしばらくの間は冷えた状態になっている。そこで、スートブロアに高温の蒸気を供給するため、上記の管路に蒸気を所定時間（例えば、１０分間）通してこれを温める“ウォーミングアップ”という作業が行われる。
【０００５】
このウォーミングアップには、１日で２５０ｍ３以上の蒸気が使用されることもある。また、ウォーミングに使用される蒸気は、高温、高圧、かつボイラでの蒸気生成に使用される純水と同程度の高水質であり、一般に、ブロータンクに回収して排水される。
【０００６】
火力発電所のボイラで生成される蒸気は、発電とスートブロアの他に、空気加熱用蒸気、高圧蒸気（例えば、０．６５〜２．０ＭＰａ）、低圧蒸気（例えば、０．６５ＭＰａ以下）等に分けて以下の用途にも使用される。
【０００７】
空気加熱用蒸気は、スチームエアヒータと呼ばれる空気加熱機に送られ、通風機から供給される空気を加熱する。スチームエアヒータは、空気加熱用蒸気と空気との間の熱交換により、空気を加熱してボイラに供給する。
【０００８】
高圧蒸気は、例えば、タービンを覆う筐体とタービン軸との嵌合部から蒸気が漏れるのを防ぐタービングランド蒸気、又は、ボイラ内に燃料の重油を噴射するための重油噴射用蒸気として利用される。タービングランド蒸気は、タービンを覆う筐体とタービン軸との嵌合部に送り込まれ、その圧力で筐体内側からの蒸気の漏れを防ぐ。
【０００９】
低圧蒸気は、ボイラに重油を送る管路を加熱して重油を流動化させる装置であるスチームトレス、又は、ボイラの排ガスに含まれる窒素酸化物（ＮＯｘ）の中和に使用するアンモニアを熱で気化するためのアンモニア気化器などに使用される。
【００１０】
下記特許文献１には、適切なスートブロア作動を行い、かつ作動後にもボイラの安定運転を行わせることの可能なスートブロア自動制御装置が記載されている。
【００１１】
【特許文献１】特開平０６−３４７０１７号公報
【発明の開示】
【発明が解決しようとする課題】
【００１２】
上記のスートブロア自動制御装置は、スートブロアを作動させるべき伝熱面を決定し、これに対応するスートブロアを作動させるというものであるが、スートブロア作動後には、高温、高圧、かつ高水質のウォーミング蒸気が排水タンクに回収されて水となって排出されており、そのエネルギーが活用されていない。
【００１３】
本発明の目的は、ボイラで生成し、スートブロア用経路に送る蒸気を有効利用する蒸気供給方法と、それを実現する蒸気供給系統を提供することである。
【課題を解決するための手段】
【００１４】
本発明の蒸気供給方法は、ボイラから高圧蒸気を使用する装置（例えば、ボイラ内に重油を噴射する装置など）に送られる蒸気をスートブロア用経路に常時供給し、この経路を通った蒸気を、低圧蒸気を使用する装置（例えば、スチームトレスやアンモニア気化器など）へ送ることを特徴とする。
【００１５】
別態様の蒸気供給方法は、ボイラで生成されてスートブロア用経路に供給される蒸気を、前記ボイラに給水するための復水器へ送ることを特徴とする。この場合、前記スートブロア用経路に供給された蒸気は、一部又は全部が水になり、前記復水器へ送られるようにすることができる。
【００１６】
また、前記蒸気をドレンタンクに送り、該ドレンタンクから前記復水器へ送ることを特徴とする。この場合、前記スートブロア用経路に供給された蒸気は、一部又は全部が水になり、前記ドレンタンクに送られるようにすることができる。
【００１７】
本発明の蒸気供給系統は、ボイラで生成された蒸気を他へ供給するための蒸気供給系統であって、前記ボイラから前記蒸気をタービンへ供給する主経路と、該主経路から分岐して高圧蒸気を使用する装置に至る高圧経路と、該高圧経路から分岐したスートブロア用経路と、該スートブロア用経路を通った蒸気を低圧蒸気を使用する装置へ送る低圧経路とを備えたことを特徴とする。
【００１８】
上記の系統において、前記高圧経路から分岐して前記低圧蒸気を使用する装置に至る予備経路を備えることが好ましい。この場合、前記高圧経路の蒸気を、前記スートブロア用経路に供給しないときは、前記予備経路を介して前記低圧蒸気を使用する装置に供給することが好ましい。
【００１９】
別態様の蒸気供給系統は、ボイラで生成された蒸気を他へ供給するための供給系統であって、前記ボイラから前記蒸気をタービンへ供給する主経路と、該主経路から分岐して高圧蒸気を使用する装置に至る高圧経路と、該高圧経路から分岐したスートブロア用経路と、該スートブロア用経路を通った蒸気を前記ボイラに給水する復水器へ送る復水経路とを備えたことを特徴とする。また、前記復水経路上にドレンタンクを備えることが好ましい。
【発明の効果】
【００２０】
本発明の蒸気供給方法によれば、スートブロア用配管に蒸気を常時供給することにより、スートブロアの起動に際してスートブロア用経路をウォーミングアップするという作業ないし操作が不要になる。また、スートブロア用経路を通った蒸気を低圧蒸気を使用する装置へ送ることにより、蒸気を排水としないで無駄なく有効利用することができる。
【００２１】
別の蒸気供給方法によれば、スートブロア用経路のウォーミングアップに使用した蒸気を排水せず、これを復水器へ送って再利用することができる。この場合、ウォーミングアップに使用した蒸気を、ドレンタンクを経由して復水器へ送ることができる。また、スートブロア用経路を通った蒸気は、一部又は全部が水になり、復水器又はドレンタンクへ送られるようにしてもよい。
【００２２】
本発明の蒸気供給系統によれば、蒸気を常時供給するスートブロア用経路と、これを通った蒸気を低圧蒸気を使用する装置へ送る低圧経路とを備えたことにより、スートブロアの起動に際してスートブロア用経路をウォーミングアップするという作業ないし操作が不要になる。また、スートブロア用経路を通った蒸気を低圧蒸気を使用する装置へ送ることにより、蒸気を排水としないで無駄なく有効利用することができる。
【００２３】
また、高圧経路から分岐して低圧蒸気を使用する装置に至る予備経路を備えるようにしてもよい。この場合、予備経路をスートブロア用経路のバックアップ用経路とすることができる。
【００２４】
本発明の別の蒸気供給系統によれば、スートブロア用経路を通った蒸気を復水器へ送る復水経路を備えたことにより、スートブロアの起動に際してスートブロア用経路のウォーミングアップに使用した蒸気を排水せず、これを復水器へ送って蒸気の生成のために再利用することができる。この場合、復水経路上にドレンタンクを備えることができる。
【発明を実施するための最良の形態】
【００２５】
図１は、本発明の第１実施例の蒸気供給方法を適用した火力発電所の蒸気供給系統を示す。
【００２６】
この火力発電所は、ボイラ１で生成される蒸気を他へ供給するための蒸気供給系統として、
ボイラで生成した蒸気をタービン２へ供給する主経路３と、
主経路３から分岐して高圧蒸気を使用する装置（以下「高圧装置」という。）に至る高圧経路４と、
高圧経路４から分岐して蒸気を常時供給するスートブロア用経路６と、
スートブロア用経路６を通った蒸気を低圧蒸気を使用する装置（以下「低圧装置」という。）へ送る低圧経路７と、
低圧経路７から分岐して、ボイラ１に送る空気を加熱するスチームエアヒータ８に至る暖気経路９と
を備えている。
【００２７】
タービン２で発電に使用された蒸気は、ボイラ１へ給水する復水器１０に送られ、ポンプ１１により圧送されてボイラ１へ再供給される。
【００２８】
高圧経路４には、上記のスートブロア用経路６への分岐点より上流側に流量調節手段として２つの弁１２及び１３が設置されている。この２つの弁のうち、上流側の弁１２は、主経路３から送られる蒸気の流入／遮断を切り替える元弁で、下流側の弁１３は、高圧経路４に流す蒸気を所定の圧力（例えば、２．０ＭＰａ）に調整する圧力調整弁である。
【００２９】
この火力発電所では、高圧装置内の圧力変化を検知して、高圧経路４を通って高圧装置へ供給される蒸気の圧力を自動的に調整するようになっている。具体的には、高圧装置内の圧力が上昇（例えば、高圧経路４上の現時点の圧力調整弁１３の設定圧力より上昇）したときは、高圧経路４上の圧力調整弁１３の設定圧力を下げ、逆に装置内の圧力が低下したときは、圧力調整弁１３の設定圧力を上げる制御を行い、平均して所定の圧力（例えば、２．０ＭＰａ）状態を保つようになっている。これにより、高圧装置には、安定した圧力の蒸気を常時供給することができる。
【００３０】
また、高圧装置は、例えば、タービン２を覆う筐体とタービン軸との嵌合部からの蒸気の漏れを防ぐ装置や、ボイラ１内に燃料の重油を噴射する重油噴射装置等である。
【００３１】
スートブロア用経路６にも、流量調節手段として２つの弁１５及び１６が設置されている。この２つの弁のうち、上流側の弁１５は、高圧経路４から送られる蒸気の流入／遮断を切り替える元弁で、下流側の弁１６は、元弁１５で蒸気がリークした場合等に使用する手動式の予備弁である。
【００３２】
また、この火力発電所には、ボイラ１内を洗浄する複数（例えば、４乃至４０基）のスートブロア２０が設置してあり、スートブロア用経路６から分岐して各スートブロア２０に至る経路が設けられている。各経路上には、弁１８が設けられており、作動させるスートブロアに対応して適宜の弁１８を開くようになっている。
【００３３】
スートブロア用経路６の下流側には、流量調節手段として２つの弁２１及び２２が設置されている。この２つの弁のうち、上流側の弁２１は、メンテナンス時等に低圧装置への蒸気の供給を遮断するための手動式の弁であり、下流側の弁２２は、低圧経路７を通って低圧装置へ送る蒸気を所定の圧力（例えば、０．６５ＭＰａ）に調節する圧力調整弁である。
【００３４】
上記第１実施例の蒸気供給系統では、スートブロア用経路６は圧力調整弁２２までの経路をいい、低圧経路７は圧力調整弁２２から低圧装置に至る経路をいう。
【００３５】
低圧装置としては、例えば、ボイラに燃料の重油を送る管路を加熱して重油を流動化させるためのスチームトレスと呼ばれる装置や、ボイラの排ガスに含まれる窒素酸化物（ＮＯｘ）を中和するためのアンモニアを熱で気化させるアンモニア気化器がある。低圧経路７には、低圧装置に供給される蒸気の温度を下げる温度調節手段として温度調節スプレー２３を設置するのがよい。低圧経路７に設置する圧力調整弁２２は、この低圧装置で使用する蒸気圧に合わせたものを採用するのが好ましい。この温度調節スプレー２３は、低圧経路７を通る蒸気の温度を検出し、この温度を予め定められた温度に近づける（例えば、下げる）ために低圧経路７の内部（例えば、管体の内部）に水を噴射する装置である。
【００３６】
さらに、低圧装置についても、上述の高圧装置のように、装置内の圧力の変化に基づいて圧力調整弁２２を制御し、供給される蒸気の圧力を適切な値に保つようになっている。
【００３７】
スチームエアヒータ８は、ボイラ１から供給される蒸気の熱を利用して、通風器２５から送られる空気を加熱する装置である。このスチームエアヒータ２５では、ボイラ１の蒸気と通風器２５からの空気との間で熱交換を行うため、水が発生する。この水は、ドレン水としてドレンタンク２６に回収した後、復水器１０に送られてボイラ１へ再供給されるようになっている。スチームエアヒータ８で加熱された空気は、これとボイラ１の排ガスとの間で熱交換を行うガスエアヒータ２７で更に加熱されてボイラ１へ供給される。
【００３８】
第１実施例の蒸気供給方法を適用した蒸気供給系統における蒸気の流れについて説明する。
【００３９】
まず、ボイラ１で生成された蒸気は、主経路３を通ってタービン２へ供給されると共に、主経路３から分岐した高圧経路４へと供給される。タービン２で発電に使用された蒸気は、復水器１０へ送られてボイラ１へ再び供給される。
【００４０】
主経路３から高圧経路４へ送られた蒸気は、高圧装置へ供給されると共に、スートブロア用経路６側に供給される。このスートブロア用経路６を通った蒸気は、低圧経路７を通って低圧装置へ供給されると共に、低圧経路７から分岐した暖気経路９を通ってスチームエアヒータ８に供給され、ボイラ１の燃焼用の空気を加熱するために使用された後、これにより発生するドレン水がドレンタンク２６を介して復水器１０へと送られる。
【００４１】
上記の蒸気供給系統は、火力発電所の既存の設備に適用することもできるし、火力発電所を新設する場合に適用することもできる。具体的には、前者の場合、高圧経路４及びスートブロア用経路６は既設のものを利用し、低圧装置へ蒸気を供給する低圧経路７をスートブロア用経路６に連結するという既存の設備の改造によって適用することができるし、後者の場合、火力発電所の新設に伴いこれらの経路を新たに敷設することによって適用することができる。
【００４２】
また、第１実施例の蒸気供給方法及び蒸気供給系統を適用すれば、スートブロア用経路６に蒸気を常時供給するため、スートブロア用経路６には常時高温高圧の蒸気が流れており、スートブロア２０の起動に際してスートブロア用経路６をウォーミングアップする必要がない。これにより、ボイラ１で生成された蒸気を一切排水せずに有効利用することができる。
【００４３】
以上、本発明の第１実施例について説明したが、以下、本発明の第２実施例について説明する。
【００４４】
図２は、第２実施例の蒸気供給方法を適用した火力発電所の蒸気供給系統を示す。この火力発電所の設備及び適用した蒸気供給系統は、基本的には、第１実施例の蒸気供給系統と同様である。第１実施例の蒸気供給系統（図１）と異なる点は、高圧経路４から分岐して低圧蒸気を使用する装置に至る予備経路３０を備えた点である。具体的には、高圧経路４から分岐した経路を、低圧経路７に連結して温度調節スプレー２３を介して低圧装置に至るようにした。
【００４５】
この予備経路３０には、流量調節手段として、低圧装置へ送る蒸気の圧力を所定の圧力（例えば、０．６３ＭＰａ）に調整する圧力調整弁３２が設置されている。
【００４６】
この火力発電所における蒸気の流れは、基本的には、第１実施例における場合と同様であるが、第１実施例と異なる点は、高圧経路４から分岐して低圧装置へ至る予備経路３０が、スートブロア用経路６及び低圧経路７のバックアップ用の経路として低圧装置へ蒸気を供給する点である。
【００４７】
具体的には、例えば、スートブロア２０や低圧経路７のメンテナンス時や故障時など、スートブロア用経路６へ蒸気を供給しないとき又は供給できないときは、スートブロア用経路６の元弁１５を閉じることによって、スートブロア用経路６への蒸気の流れが遮断される。この場合、低圧装置で使用される蒸気は、予備経路３０を通って供給される蒸気のみによって確保される。
【００４８】
また、第２実施例の予備経路３０上に設置した圧力調整弁３２の設定圧力（例えば、０．６３ＭＰａ）を、スートブロア用経路６と低圧経路７の間に設置した圧力調整弁２２の設定圧力（例えば、０．６５ＭＰａ）よりも低くしたことにより、低圧装置が０．６５ＭＰａの蒸気を必要とする場合には、予備経路３０上の圧力調整弁３２を遮断し、スートブロア用経路６と低圧経路７の間の圧力調整弁２２のみを開放させ、低圧経路７を通って所定の圧力（例えば、０．６５ＭＰａ）の蒸気が供給されるようになっている。
【００４９】
上記のように、予備経路３０上の圧力調整弁３２を遮断し、低圧経路７側からの蒸気のみを低圧装置に供給している場合において、例えば、低圧装置内の蒸気圧力が圧力調整弁２２の設定圧力を超えた場合、圧力調整弁２２が閉じ（このとき、圧力調整弁３２は閉じている）、低圧装置内の蒸気が消費されることにより、低圧装置内の圧力は徐々に低下する。そして、低圧装置内の圧力が圧力調整弁２２の設定圧力まで下降したとき、圧力調整弁２２が再び開き、圧力制御を行うようになっている。
【００５０】
また、予備経路３０上の圧力調整弁３２を閉じている場合において、スートブロア用経路６に破損等が生じた場合には、その破損等に起因して蒸気がリークし、スートブロア用経路６内の蒸気圧が低下することがある。この場合、スートブロア用経路６内の蒸気圧が低下することで、ここから蒸気が供給される低圧装置内の蒸気圧力も低下する。このとき、圧力調整弁２２は、低圧装置内の圧力を回復するため開方向に動作するが、スートブロア用経路６の破損により、圧力調整弁２２の蒸気通過量自体が低下しており、低圧装置内の圧力を回復するのに足りる量の蒸気を供給できず、低圧装置内の圧力は下降を続ける。このような場合に低圧装置内の蒸気圧力が予備経路３０に設置された圧力調整弁３２の設定圧力より下がれば、圧力調整弁３２が開き、予備経路３０側から低圧装置へ蒸気が供給され始め、低圧装置内の圧力を回復（例えば、上昇）するように制御が行われる。このように圧力調整弁３２及び予備経路３０は、スートブロア用経路６側からの蒸気供給をバックアップする役割を果たすことができるようになっている。また、メンテナンスのため、スートブロア用経路６の蒸気の流れを止めた場合にも、圧力調整弁３２及び予備経路３０は、上記と同様のバックアップの役割を果たすことができる。
【００５１】
また、スチームエアヒータ８への蒸気供給は、図に破線で示すように暖気経路９を予備経路３０に接続し、こちらから蒸気供給を受けることもできる。
【００５２】
次に、本発明の第３実施例について説明する。
【００５３】
図３は、第３実施例の蒸気供給方法を適用した火力発電所の蒸気供給系統を示す。この火力発電所の設備は、基本的に第１実施例の火力発電所と同様である。第１実施例の火力発電所の蒸気供給系統と異なる点は、低圧装置へ蒸気を供給する低圧経路３５を高圧経路４から分岐して敷設した点、及びスートブロア用経路６を通った蒸気を復水器１０へ送る復水経路３７を設けた点である。
【００５４】
低圧経路３５には、低圧装置へ送る蒸気を所定の圧力（例えば、０．６５ＭＰａ）に調整する圧力調整弁３６と、その蒸気の温度を調節する温度調節スプレー４０が設置されている。また、復水経路３７には、これを流れる蒸気の流入／遮断を切り替える電動弁３８が設置されている。
【００５５】
この火力発電所の蒸気供給系統における蒸気の流れを説明する。
【００５６】
ボイラ１で生成された蒸気は、主経路３を通ってタービン２へ供給されると共に、主経路３から分岐した高圧経路４へと供給される。タービン２で使用された蒸気は、復水器１０へ送られてボイラ１へ再び供給される。
【００５７】
主経路３から高圧経路４へ送られた蒸気は、高圧装置側へ供給されると共に、高圧経路４から分岐した低圧経路３５へ供給される。低圧経路３５を通った蒸気は、低圧装置側へ供給されると共に、低圧経路３５から分岐した暖気経路９を通ってスチームエアヒータ８、ドレンタンク２６、復水器１０の順に流れ、ポンプ１１によりボイラ１へ再供給される。
【００５８】
高圧経路４から分岐したスートブロア用経路６は、スートブロア２０の起動に際して蒸気を通すように構成した。具体的には、スートブロア２０を起動するときは、スートブロア用経路６の元弁１５を開放すると、これに対応して、復水経路３７上の電動弁３８が所定の時間（例えば、１０分間）開放した後に遮断する。これにより、スートブロア用経路６のウォーミングアップを所定の時間（例えば、１０分間）行った後、スートブロア２０へ高温の蒸気が供給され、スートブロア２０の作動終了時には、スートブロア用経路６上の元弁１５を再び閉じて、スートブロア用経路６側への蒸気の流入が遮断される。
【００５９】
第３実施例では、スートブロア用経路６のウォーミングアップに使用した蒸気は、従来のように排水とせず、復水器１０へ送るようにしたため、スートブロア用経路６を通った蒸気を有効利用することができる。
【００６０】
次に、本発明の第４実施例について説明する。
【００６１】
図４は、第４実施例の蒸気供給方法を適用した火力発電所の蒸気供給系統を示す。この火力発電所の設備と蒸気供給系統は、基本的には、第３実施例における火力発電所（図３）と同様である。第３実施例と異なる点は、スートブロア用経路６を通った蒸気を復水器１０へ送る復水経路３７上にドレンタンク２６を設けた点である。具体的には、スチームエアヒータ８から復水器１０へ至る経路上に設置したドレンタンク２６を流用し、これを介して復水器１０へ至るようにすればよい。
【００６２】
第４実施例においても、スートブロア用経路６のウォーミングアップに使用した蒸気を排水とせず、ドレンタンク２６に回収して復水器１０へ送ることにより、有効利用することができる。
【００６３】
以上、本発明の蒸気供給方法及び蒸気供給系統について説明したが、第２実施例乃至第４実施例のいずれの蒸気供給系統においても、第１実施例で説明したように、既存の設備を改造して適用することもできるし、火力発電所を建設する際に本発明の蒸気供給系統を新たに適用することもできる。
【００６４】
また、第３実施例と第４実施例の蒸気供給方法及び蒸気供給系統では、スートブロア用経路６を通った蒸気は、一部又は全部が水になり、復水器１０に直接、又はドレンタンク２６を経由して復水器１０に供給されることが可能である。
【図面の簡単な説明】
【００６５】
【図１】スートブロア用経路に蒸気を常時供給するように構成した蒸気供給系統を示す図。
【図２】スートブロア用経路をバックアップする予備経路を備えた蒸気供給系統を示す図。
【図３】ウォーミング蒸気を復水器に送るように構成した蒸気供給系統を示す図。
【図４】ウォーミング蒸気をドレンタンクを介して復水器へ送るように構成した蒸気供給系統を示す図。
【符号の説明】
【００６６】
１…ボイラ、２…タービン、３…主経路、４…高圧経路、６…スートブロア用経路、７，３５…低圧経路、８…スチームエアヒータ、９…暖気経路、１０…復水器、１１…ポンプ、１２，１５…元弁、１３，２２，３２，３６…圧力調整弁、１６…予備弁、１８，２１…弁、２０…スートブロア、２３，４０…温度調節スプレー、２５…通風器、２６…ドレンタンク、２７…ガスエアヒータ、３０…予備経路、３７…復水経路、３８…電動弁。
【図１】
2005172400.tif 000003
【図２】
2005172400.tif 000004
【図３】
2005172400.tif 000005
【図４】
2005172400.tif 000006